(57)【要約】【課題】器具判別装置では複数のセンサ類が必要で、さらに複雑な推論計算をメータ内部で行うが、メータ内部には電源容量が限られているため大規模で長時間の演算は難しい。【解決手段】流体計測手段４１で流路を流れる流体の流速または流量を計測し、その情報を一旦記憶手段１２に蓄積した後、第１の通信手段１２でまとめて外部に送る。外部の電力事情の良い環境で器具判別手段１５は演算やデータベースなどの参照を行い、送られてきた情報を基に動作している器具を判定する。【選択図】図１
2006200800.tif 000002
【特許請求の範囲】
【請求項１】
被測定流体の流れる流路に配置した流速または流量を計測する流体計測手段と、前記流体計測手段の信号を蓄積する記憶手段と、外部と通信を行う第１の通信手段と、前記流体計測手段と前記第１の通信手段を制御する制御手段と、第１の通信手段と信号のやりとりする外部に設けた第２の通信手段と、前記第２の通信手段に接続し前記流路に配置された流体を使用している器具を判別する情報を有する器具判別手段を備えた流速または流量計測装置。
【請求項２】
予め定めた時間が経過すると記憶手段の信号を第１の通信手段から外部に設けた第２の通信手段に通信するタイマ手段を備えた請求項１記載の流速または流量計測装置。
【請求項３】
時間情報を出力する計時手段を備え、記憶手段には流体計測手段と前記計時手段の情報を蓄積する請求項１記載の流速または流量計測装置。
【請求項４】
積算流量を演算する積算手段を備え、記憶手段には流体計測手段と前記積算手段の情報を蓄積する請求項１記載の流速または流量計測装置。
【請求項５】
流速の変化点を検出する変化点検出手段を備え、記憶手段には流体計測手段と前記変化点検出手段の情報を蓄積する請求項１記載の流速または流量計測装置。
【請求項６】
請求項１から請求項５のいずれか１項記載の制御手段としてコンピュータを機能させるためのプログラム。
【発明の詳細な説明】
【技術分野】
【０００１】
本発明は、振動子などを用い、超音波を利用して気体や液体などの流量を計測する流速または流量計測装置に関し、またその流路に接続されている使用している器具の判別を行う方法に関する。
【背景技術】
【０００２】
従来の判別装置としてガスメータに内蔵されたものがあり、各種演算を行うことにより器具の推定をおこなっている（例えば、特許文献１参照）。
【０００３】
図８は一般的なガス配管の構成を示すブロック図である図８において１はガス器具判別装置、２はガスメータ、３はガス配管，４はガス器具である。ガス器具判別装置のブロック図を図９に示す。
【０００４】
図９において５はガスメータの通過ガス量に応じて信号を発生する流量測定装置、６は流量測定装置から送られてくる流量信号でガスメータ通過ガス量の変化流量を算出し、個別ガス器具ごとのガス量に分離する個別ガス器具流量演算手段、８は変化流量以外の入力信号を得るセンサ手段である。例えば８１、８２，８３，８４，８５の５種類の検出手段から構成される。８１はガスメータの本体に取り付けられ現在の外気温度を常時検出する気温検出手段である。８２は現在の季節情報を常時得ることのできる計時機構を備えたカレンダー検出手段である。８３，８４，８５は個別ガス器具流量演算手段６とも接続されている。８３は各ガス器具が使用され始めた時刻情報を計時・記憶する機構を備えた使用開始時刻検知手段である。８４は各ガス器具の最大ガス流量の継続時間を計時する最大流量継続時間検出手段であり、最大ガス量を使用し続ける（ピークホールド）時間を測定・記憶する。８５は個別ガス器具ごとの点火時または燃焼時の流量パターンの時間変化をサンプリングする流量変化認識手段であり、各器具特有の流量消費パターンの過渡現象を捕らえるものである。９は個別ガス器具流量演算手段６およびセンサ手段８から得られる情報を複合化して使用されているガス器具の判別を行う複合演算手段である。
【０００５】
このガス器具判別装置はガスメータ２に内蔵され、ガス配管３を介してのみ各ガス器具４と接続されている。
【０００６】
この構成で複合演算手段９は個別ガス器具流量演算手段６、気温検出手段８１、カレンダー検出手段８２、使用開始時刻検出手段８３、最大流量継続時間検出手段８４、流量変化認識手段８５から得られる情報を複合化してガス器具の種類を判別するのにファジー推論を採用している。そして各検出手段から得られる情報をもとに前件部で用いるメンバーシップ関数を作成し、同様に後件部で用いるメンバーシップ関数も作成する。それらの関数を元に推論するルールを複数組み立てて器具を判別する。例えば、演算結果から暖房機らしさないし調理器らしさが非常に高ければ、該当するガス器具は暖房機ないし調理器具とみなして良いと言える。メンバーシップ関数やルールの組み立て方については詳しい説明を省略する。
【特許文献１】特開平３−２３６５１３号公報（第２頁、第１図）
【発明の開示】
【発明が解決しようとする課題】
【０００７】
しかしながら従来のガス器具判別装置では複数のセンサ類が必要で、さらに複雑な推論計算をメータ内部で行う必要がある。また、複雑な演算を用いても推論までである。それにメータ内部には電源容量が限られているため大規模で長時間の演算は難しい。
【０００８】
本発明は上記の課題を解決するもので、流量データを一旦ある程度記憶手段に蓄積し、その情報をまとめて流体計測装置から外部に通信し、通信頻度を少なくしつつ、電力容量の問題にならない場所で演算を行うことで器具判別の精度を高めるとともに、通常の流量計測への負荷を軽減することを目的としている。
【課題を解決するための手段】
【０００９】
前記従来の課題を解決するために、本発明の流速または流量計測装置は、流体計測手段で流路を流れる流体の流速または流量を計測し、その情報を記憶手段に一旦ため込み、予め定めた情報量になってからまとめて、通信頻度を少なくしつつ流体計測装置から外部に通信手段を介して送る。外部の電力事情の良い環境で演算やデータベースなどの参照を行い、送られてきた情報を基に動作している器具を判定する。
【００１０】
判定した器具データは再度通信手段を用いて流速または流量計測装置に返送する動作を行うことも可能である。
【発明の効果】
【００１１】
本発明の、流速または流量計測装置は、流速または流量の情報を記憶手段に一旦ため込み、予め定めた情報量になってからまとめて外部に通信し、そこで演算やデータベースなどの参照を行い、送られてきた情報を基に動作している器具を判定するものである。
【００１２】
これによって、計測装置内部に器具判別に必要な高性能の演算手段や、それを動作するために大規模な電源を設置する必要が無くなり、小型で計測を優先した装置の実現と、外部での精度の高い器具判別を実現することができるとともに、外部との通信頻度を少なくすることで電源の負担を軽くして省電力を図り長期間の動作を行うことが可能になる。
【発明を実施するための最良の形態】
【００１３】
第１の発明は被測定流体の流れる流路に配置した流速または流量を計測する流体計測手段と、前記流体計測手段の信号を蓄積する記憶手段と、外部と通信を行う第１の通信手段と、前記流体計測手段と前記第１の通信手段を制御する制御手段と、第１の通信手段と信号のやりとりする外部に設けた第２の通信手段と前記第２の通信手段に接続し前記流路に配置された流体を使用している器具を判別する情報を有する器具判別手段を備えた流速または流量計測装置である。
【００１４】
そして、流速または流量の情報を記憶手段に一旦ため込み、予め定めた情報量になってからまとめて外部に通信し、そこで演算やデータベースなどの参照を行い、送られてきた情報を基に動作している器具を判定することにより、計測装置内部に器具判別に必要な高性能の演算手段や、それを動作するために大規模な電源を設置する必要が無くなり、小型で計測を優先した装置の実現と、外部での精度の高い器具判別を実現することができるとともに、外部との通信頻度を少なくすることで電源の負担を軽くして省電力を図り長期間の動作を行うことが可能になる。
【００１５】
第２の発明は、特に第１の発明の流体計測手段の信号を蓄積する記憶手段の情報量が予め定めた量にならなくても予め定めた時間が経過すると記憶手段の信号を第１の通信手段から外部に設けた第２の通信手段に通信するタイマ手段を備えることにより、流体の使用頻度が少なくてもある時間が経過すると通信を行うこと流体計測手段の動作と通信手段の動作を確認することができ、信頼性の向上を図ることが可能になる。
【００１６】
第３の発明は、特に第１の発明で時間情報を出力する計時手段を備え、記憶手段には流体計測手段と前記計時手段の情報を蓄積することで、外部に通信する情報に器具を使用した時間などの項目を追加することができ、器具判別の方法を組み立てる際に判定確度の向上を図ることが可能になる。
【００１７】
第４の発明は、特に第１の発明で積算流量を演算する積算手段を備え、記憶手段には流体計測手段と前記積算手段の情報を蓄積することで、外部に通信する情報に器具の使用積算情報を追加でき、器具固有の使用の判定情報として用いることで判定確度の向上を図ることが可能になる。
【００１８】
第５の発明は、特に第１の発明で流速の変化点を検出する変化点検出手段を備え、記憶手段には流体計測手段と前記変化点検出手段の情報を蓄積することで、外部に通信する情報に器具の使用流量変化情報を追加でき、器具判定の確度の向上を図ることが可能になる。
【００１９】
第６の発明は、特に第１の発明から第５の発明のいずれか１つにおける制御手段としてコンピュータを機能させるためのプログラムを有する構成としたもので、これにより測定方法や通信手段の動作設定、変更が容易にでき、また経年変化などにも柔軟に対応できるためよりフレキシブルに計測の精度向上や器具判別の判定率向上を行うことができる。
【００２０】
（実施の形態１）
実施の形態１に関する本発明の流速または流量計測装置について説明する。流速または流量計測装置の説明としては超音波を用いた計測方法を用いるが別にこの方式に限ったものでない。
【００２１】
図１は本実施の形態１の構成を示す流速または流量計測装置のブロック図である。図１おいて、２はガスメータ、３はガス配管、４はガス器具である。ガスメータ２の内部には流体の速度または流量を計測する流体計測手段１１と、前記流体計測手段１１の情報を一旦記憶する記憶手段１２と、記憶手段の情報を外部に通信する第１の通信手段１３と、前記流体計測手段１１と前記第１の通信手段１３を制御する制御手段１４を備えている。またガスメータ２外部には第２の通信手段１５と前記第２の通信手段に接続されてガス配管につながって使用している器具を判定する器具判定手段１６を備えている。
【００２２】
図２は流体計測手段１１の動作を示すブロック図である。被測定流体、ここではガスの流れる流路３と、前記流路３に配置された超音波を送受信する第１の振動子３２、第２の振動子３３を設置し、前記第１の振動子３２を駆動する送信手段３４と、前記第２の振動子３３の受信信号を受け受信タイミングを決定する受信手段３５と、前記送信手段３４と第１の振動子３２、および第２の振動子３３と受信手段３５の間に切換手段３６を設け、超音波の送受信を第１の振動子３２と第２の振動子３３の間で交互に行うようにしている。
【００２３】
そして流量演算手段４１は受信手段３５の出力を受け送信手段３４を介して再度超音波の送受信を繰り返すという動作回数を計測し所定の回数で動作を停止する繰返し手段３７と、前記繰返し手段３７の信号を受け所定の遅延時間遅れて前記送信手段３４のトリガ信号として出力する遅延手段３８と、少なくとも送信手段３４による第１の振動子３２の駆動開始から前記繰返し手段３７の動作停止までの超音波の伝搬時間を測定する計時手段３９と、前記計時手段３９の値から前記一対の振動子間の流速を演算し、それから流量を求める演算手段４０とを有するものである。さらに計測制御手段４２を設け、前記送信手段３４を動作する計測スタート信号を出力する。さらに電力の供給を行う電源４３と、電源より高電圧の負荷を駆動するための昇圧手段４４と、前記電源４３と前記昇圧手段４４を制御する電源制御手段４５を備えている。
【００２４】
また送信手段３４、受信手段３５、切換手段３６、流量演算手段４１の設定値を記憶している記憶手段４６と、電源４３を投入後に記憶手段４６の設定値を各手段に送出する制御手段４７を備えている。
【００２５】
通常の流速または流量計測の動作を説明する。計測制御手段４２からスタート信号を受けた送信手段３４が第１の振動子３２を一定時間パルス駆動行うと同時に計時手段３９は計測制御手段４１からの信号によって時間計測始める。パルス駆動された第１の振動子３２からは超音波が送信される。第１の振動子３２から送信した超音波は被測定流体中を伝搬し、第２の振動子３３で受信される。第２の振動子３３の受信出力は、受信手段３５で信号を増幅された後、予め定められている受信タイミングの信号レベルで超音波の受信を決定する。繰返し動作を行わない場合はこの超音波の受信を決定した時点で計時手段３９の動作を停止し、その時間情報ｔから（式１）によって流速を求める。
【００２６】
（計時手段３９から得た測定時間をｔ、超音波振動子間の流れ方向の有効距離をＬ、音速をｃ、被測定流体の流速をｖとする。）
ｖ＝（Ｌ／ｔ）−ｃ ・・・（式１）
受信手段３５は通常コンパレータによって基準電圧と受信信号を比較するようになっていることが多い。
【００２７】
繰返し手段３７を用いる今回の動作は受信手段３５の判定結果を遅延手段３８で一定時間遅延させた後に送信手段３４に返し、再度送信を行う。繰返し動作を決められた回数行い、その時間を計時手段３９で測定し、計時手段３９の測定時間を元に（式２）の計算によって流速を求める。
【００２８】
（遅延手段の遅延時間をＴｄ、繰返しの回数をｎ、測定時間をｔｓ、超音波振動子間の流れ方向の有効距離をＬ、音速をｃ、被測定流体の流速をｖとする。）
ｖ＝Ｌ／（ｔｓ／ｎ−Ｔｄ）−ｃ  ・・・（式２）
この方法によれば（式１）の方法に比べ精度よく測定することができる。
【００２９】
また、第１の超音波振動子３２と第２の超音波振動子３３とを切り替え、被測定流体の上流から下流と下流から上流へのそれぞれの伝搬時間を測定し、（式３）より速度ｖを求める。
（上流から下流への測定時間時間をｔ１、下流から上流への測定時間時間をｔ２とする）
ｖ＝Ｌ／２（（１／ｔ１）−（１／ｔ２））・・・（式３）
この方法によれば音速の変化の影響を受けずに流度を測定することが出来るので、流速・流量・距離などの測定に広く利用されている。流速ｖが求まると、それに流路１の断面積を乗ずることにより流量を導くことができる。
【００３０】
通常の動作は図３に示すタイミング図のようになる。すなわち、計測制御手段４２による時刻ｔ０における開始信号から計測を開始し、ｔ１で送信手段３４を介して第１の超音波振動子３２を駆動する。そこで発生した超音波信号は流路内を伝搬し時刻ｔ２で第２の超音波振動子３３に到達し、受信手段３５で受信点を検知すると繰返し手段３７は設定回数に達していない場合、遅延手段３８に信号を送出する。そして時刻ｔ３から遅延手段３８が動作し、予め定めた時間だけ動作した後時刻ｔ４で送信手段３４に信号を送出し、再び第１の超音波振動子３２を駆動する。以下、この繰返しを行っている。
【００３１】
繰返し手段３７で決められた回数動作すると図２時刻ｔ５で送受信動作は停止し、その時間は図に示すＴとなる。その後、切換え手段３６が送受信を切換える。すなわち第１の超音波振動子３２が受信側、第２の超音波振動子３３が送信側になる。そして同様な繰返し動作を行う。
【００３２】
このようにして流速や流量を求めることはできるが、下流側で使用されている器具が何であるかは流体計測手段１１の出力信号だけではわからない。また、通信を頻発していると電力消費が大きくなり、長期の連続使用が難しくなる。
【００３３】
そこで、器具判別を行うデータを通信しつつ、電源に負担のかけない方法を説明する。流量が流れると流量演算手段４１から制御手段１４に信号が入り、制御手段１４はその流量情報を記憶手段１２に保存する。サンプリング毎もしくは一定時間毎に記憶した情報が一定量に達すると制御手段１４は第１の通信手段１３を介して外部に流量データを通信する。第１の通信手段１３からの信号をうけた外部に設置されている第２の通信手段１５は送られてきた流量データを器具判別手段１６に渡す。このデータは流速の立ち上がり変化、積算流量、最大流量などいろいろと設定は可能である。
【００３４】
また、本実施の形態で説明している超音波を用いた流速または流量計測装置では従来の膜式計測のような体積を測定しているのでは無く、瞬時流速を検出できているために流速の変化をサンプリング時間で規定する時間で計測できる。サンプリング時間はメータ内部に設置している電力容量を使用時間により秒単位に設定されるのが標準であるが、場合によっては秒以下でのサンプリングも原理的には可能である。この方式により流速の変化や流量の立ち上がりなどの見極めが容易になっている。
【００３５】
さらに、流路内部を流れる流体の流速または流量の情報を一旦記憶手段１２に保存し、一括して第１の通信手段１３を介して外部に通信し、そこで演算やデータベースなどの参照を行い、送られてきた情報を基にメータ１の下流側で使用されている器具４を判定することにより、計測装置内部に器具判別に必要な高性能の演算手段や、それを動作するために大規模な電源を設置する必要が無くなり、小型で計測を優先した装置の実現と、外部での精度の高い器具判別を実現することができる。
【００３６】
第２の通信手段１５を有する器具判定手段１６はガス供給元の大型通信センタのようなものでも良い。その場合は供給している地域の種々のデータ、例えば気温や風速、天候から各家庭の年間を通してのガス使用パターン、設置器具、器具毎の流量消費変化データなど大規模なデータベースを有することもあり、それらのデータと各第１の通信手段１３から送られてきた流量情報を用い、大型の演算装置を用いて器具の判定を行うことができる。
【００３７】
その場合、演算時の電力の問題はなくなるし、高速のシミュレーションやその係数の変更も容易にできる。また演算結果は瞬時に出す必要も無く、数分の遅れはもちろん、次の検針時までにわかれば良い場合もある。そのような場合は高価な高速演算装置の空き時間を有効に利用して精度の高い器具判別を行うことが可能になる。
【００３８】
図４に流量が流れてから第１の通信手段１２が動作するタイミング例を示す。図４（ａ）のように流量が発生すると、通常流量計測は（ｂ）のようにサンプリング間隔をもって動作している。時刻ｔ０で流量のあることを流量演算手段４１の結果より制御手段１４が認識すると（ｃ）のように記憶手段１２にその情報を記憶していく。例えば一つ目はＭ（０）＝（０、Ｑ０）という具合に時間と流量をセットで記憶する。第ｎ個目の情報はＭ（ｎ）＝（ｎ，Ｑｎ）となる。そして記憶手段１２に記憶された情報数が予め定めた個数、例えばｎ個たまると制御手段１４は図４（ｄ）のように、このＭ（０）からＭ（ｎ）の情報をまとめて第１の通信手段１３から外部に設けた第の通信手段１５に送信する。
【００３９】
流速が発生している時に常時通信する場合に比べ、流量情報を蓄積してから通信手段を動作するため、通信にかかる電力が低減でき、さらに第２の通信手段の受信負荷としても通信頻度が減っているために大幅に低減でき、大量通信による輻輳などの状態によるシステムの不安定さを回避でき、安定した通信品質を実現できる。
【００４０】
また、記憶手段１２の容量が決められた量になるまで通信を待機すると、ほとんど使用しないような状態の系や、長期間の停止状態が続くような場合、例えば長期外出などではなかなか情報が蓄積されないため、通信条件が成立しないことが起こる。例えば１ヶ月に一度も通信が成立しないとガス流量計測の場合には器具別の情報が受けられず、特定のサービスが受けられないことが発生することも考えられる。また、情報が蓄積されていないのか通信系に問題が生じているのかの判定がつきにくく不便である。
【００４１】
このような場合は、例えばタイマ手段１７を設けることにより、計測の動作開始もしくは最初の通信成立時からタイマ手段１７を動作し、このタイマ手段１７の値が予め定めた時間になると記憶手段１２に情報が蓄積されていなくても、制御手段１４はタイマ手段１７の信号を受け、第１の通信手段１３で記憶手段１２の情報を第２の通信手段１５に通信する。
【００４２】
図５に動作するタイミング例を示す。図５（ａ）のように流量が発生すると、通常流量計測は（ｂ）のようにサンプリング間隔をもって動作している。時刻ｔ０で流量のあることを流量演算手段４１の結果より制御手段１４が認識すると（ｃ）のように記憶手段１２にその情報を記憶していく。例えば一つ目はＭ（０）＝（０、Ｑ０）という具合に時間と流量をセットで記憶する。第ｎ個目の情報はＭ（ｎ）＝（ｎ，Ｑｎ）となる。タイマ手段１７はこの場合ｔ０で動作を開始し、ｔ１で流量が無くなってその後、器具は動作しない場合でも、タイマ手段１７が予め定めた時間Ｔ経過するとｔ２にて信号を出す。制御手段１４はこの信号を入力することで、記憶手段１２の情報が十分蓄積されていなくても図５（ｄ）のように、記憶手段１２の情報をまとめて第１の通信手段１３から外部に設けた第の通信手段１５に送信する。
【００４３】
頻繁に使用することのない器具が配管３に接続されている場合でも、一定時間毎に通信が成立するため流量が無いということを確実に判断できるともに、通信系の状態確認も兼ねることでシステムの信頼性向上を図ることが可能になる。
【００４４】
説明ではタイマ手段を制御手段１４に接続しているが、第２の通信手段を有する外部にタイマ手段１４を設けて定期的に通信開始を外部から行うようにしても良い。
【００４５】
（実施の形態２）
実施の形態２に関する本発明の流速または流量計測装置について説明する。実施の形態１と異なるところは記憶手段１２への情報蓄積方法である。
【００４６】
これは器具を使用する場所や使用する利用者によって、より器具判別に有用な情報を少ない量で蓄積し、通信することによって、器具判別の精度を高めるためである。
【００４７】
図１、図２、図４と図６を用いて説明する。図６で１８は時刻をはかる計時手段である。
【００４８】
実施の形態１で示したように流速または流量計測装置はガス配管や水道配管、その他種々の流体配管の上流に接続され、下流側の器具を判別するように通信を行っている。通常このような計測装置の下流側に設置されている器具は常に動作しているということは珍しく、動作と停止をくりかえしているものである。また家庭用の器具では停止していることの方が多いものもある。これらの動作時間の短い器具を的確に判別するためにはできるだけ情報を多く収集する必要ある。一方通信時間を考えるとあまり無意味な情報を長時間にわたって通信回線を占有して伝送するのは電力の問題だけで無く、通信資源の無駄使いにもなる。
【００４９】
そこで、最適な情報をできるだけ短い情報量で伝送する方法を説明する。例えば、器具が使用されて流量が発生すると、通常流量計測は図４（ｂ）のようにサンプリング間隔をもって動作している。時刻ｔ０で流量のあることを流量演算手段４１の結果より制御手段１４が認識すると（ｃ）のように記憶手段１２にその情報を記憶していく。
【００５０】
その場合、時刻情報を計時手段１８から入手し、例えば一つ目はＭ（０）＝（ｔ０、Ｑ０）という具合に時刻と流量をセットで記憶する。第ｎ個目の情報はＭ（ｎ）＝（ｔｎ，Ｑｎ）となる。そして記憶手段１２に記憶された情報数が予め定めた個数、例えばｎ個たまると制御手段１４は図４（ｄ）のように、このＭ（０）からＭ（ｎ）の情報をまとめて第１の通信手段１３から外部に設けた第の通信手段１５に送信する。
【００５１】
使用時間を記憶するのでは無く、使用している時刻を情報として記憶しておくことで通信されてきた情報をもとに器具判別手段１６は利用されている器具の推定が絞られ、さらに流量を見ることで器具判別の確度を高めることが可能になる。
【００５２】
また、流量が発生すると流量演算手段４１の結果を制御手段１４は記憶手段１２に記憶していくだけでなく、積算演算手段１９で流れた流量の積算を行う。そして積算値を記憶手段１２に記憶しておく。
【００５３】
積算流量が多く、流量が少ない場合と、同様に積算流量が多く、流量も多い場合では使用されている器具は別の可能性がある。給湯器などでは使用する流量は多いが、洗面で使用する場合などでは利用時間は短い。積算流量と利用時間を合わせて記憶し、これを第１の通信手段１３におくり、外部の第２の通信手段１５を介して器具判別手段１６に伝送する。器具判別をする際に積算値があると使用時間だけでなく使用している途中経過も推定できるためより確度の高い器具判別が可能になる。
【００５４】
また、図７（ａ）のように流量が発生すると流量演算手段４１の結果を制御手段１４は記憶手段１２に記憶していくが、通常流量計測は図７（ｂ）のようにサンプリング間隔をもって動作している。時刻ｔ０で流量のあることを流量演算手段４１の結果より制御手段１４が認識すると、サンプリング毎やもしくは一定サンプリング時間毎に記憶手段１２へ図（ｃ）のように情報を記憶していくと、一定流量で長時間流れている場合に非常に冗長な記憶となり、電力の無駄使いになる。そこで、図７（ｄ）のように流量の変化幅がある範囲異常発生した場合にその時間もしくは時刻と流量を記憶手段１２に送るようにする。
【００５５】
例えば図７のｔ０で一つ目の情報としてはＭ（０）＝（ｔ０、Ｑ０）、ｔ１ではＭ（１）＝（ｔ１、Ｑ１）、ｔ２ではＭ（２）＝（ｔ２、Ｑ２）という具合に時間または時刻と流量をセットで記憶する。第ｎ個目の情報はＭ（ｎ）＝（ｔｎ，Ｑｎ）となる。そして記憶手段１２に記憶された情報数が予め定めた個数、例えばｎ個たまると制御手段１４はＭ（０）からＭ（ｎ）の情報をまとめて第１の通信手段１３から外部に設けた第の通信手段１５に送信する。
【００５６】
流量の変化した時だけ情報が記憶されるため伝送する情報量を少なくすることができ、その上的確な情報に絞り込めることが可能になる。
【００５７】
（実施の形態３）
実施の形態３に関する本発明の流速または流量計測装置について説明する。実施の形態１と異なるところは、第１の通信手段や計測をまとめる制御手段１３の動作を確実にするためのコンピュータを機能させるためのプログラムを有する記憶媒体５０を用いていることである。
【００５８】
図２において実施の形態１と実施の形態２で示した制御手段１３の動作を行うには、予め実験等により通信状態を確立するまでの時間や、伝送のの出力変化、経年変化、温度変化、システムの安定度に関して動作タイミングなどの相関を求め、ソフトをプログラムとして記憶媒体５０に格納しておく。
【００５９】
また、記憶手段への記憶するタイミングなども柔軟に対応できるようなソフトとして記憶媒体５０に格納しておくことができる。通常マイクロコンピュータのメモリやフラッシュメモリ等電気的に書き込み可能なものにしておくと利用が便利である。制御手段１３の動作をプログラムで行うことができるようになると通信において送信受信の条件設定、変更が容易にでき、また経年変化などにも柔軟に対応できるためよりフレキシブルに器具判別用の通信内容品質の精度向上を行うことができる。なお本実施例において制御手段１３以外の動作もマイコン等によりプログラムで行ってもよい。
【００６０】
このように制御手段としてコンピュータを機能させるためのプログラムを有する構成としたもので、これにより測定方法や通信手段の動作設定、変更が容易にでき、また経年変化などにも柔軟に対応できるためよりフレキシブルに計測の精度向上や器具判別の判定率向上を行うことができる。
【産業上の利用可能性】
【００６１】
本発明の流速または流量計測装置は流量情報を一旦記憶手段に蓄積した後、その情報を間欠的に計測装置に設置した第１の通信手段と、外部に設置した第２の通信手段の間で流量情報を伝達し、外部の電力や演算装置を利用して器具判別を行うものである。
【００６２】
これによって、流路内部を流れる流体の流速または流量の情報を一旦記憶手段１２に保存し、一括して第１の通信手段１３を介して外部に通信し、そこで演算やデータベースなどの参照を行い、送られてきた情報を基にメータ１の下流側で使用されている器具４を判定することにより、計測装置内部に器具判別に必要な高性能の演算手段や、それを動作するために大規模な電源を設置する必要が無くなり、小型で計測を優先した装置の実現と、外部での精度の高い器具判別を実現することができる。
【００６３】
そして、流量情報を蓄積してから通信手段を動作するため、通信にかかる電力が低減でき、さらに第２の通信手段の受信負荷としても通信頻度が減っているために大幅に低減でき、大量通信による輻輳などの状態によるシステムの不安定さを回避でき、安定した通信品質を実現できる。
【図面の簡単な説明】
【００６４】
【図１】本発明の流速または流量計測装置の全体ブロック図
【図２】同流速または流量計測装置のブロック図
【図３】（ａ）同計測装置における計測制御手段の動作を示すタイミング図（ｂ）同計測装置における送信波の動作を示すタイミング図（ｃ）同計測装置における受信波の動作を示すタイミング図（ｄ）同計測装置における遅延手段の動作を示すタイミング図
【図４】（ａ）本発明の実施の形態１における流量変化を示すタイミング図（ｂ）同計測サンプリングを示すタイミング図（ｃ）同記憶手段の動作を示すタイミング図（ｄ）同第１の通信手段の動作を示すタイミング図
【図５】（ａ）同計測装置の流量変化を示すタイミング図（ｂ）同計測サンプリングを示すタイミング図（ｃ）同タイマ手段の動作を示すタイミング図（ｄ）同第１の通信手段の動作を示すタイミング図
【図６】同制御手段周辺の接続を示すブロック図
【図７】（ａ）本発明の実施の形態２における流量変化を示すタイミング図（ｂ）同計測サンプリングを示すタイミング図（ｃ）同記憶手段の動作を示すタイミング図（ｄ）同記憶手段の動作を示すタイミング図
【図８】従来の器具判別装置の全体ブロック図
【図９】従来の器具判別装置のブロック図
【符号の説明】
【００６５】
２  ガスメータ
３  流路
４  器具
１１  流体制御手段
１２  記憶手段
１３  第１の通信手段
１４  制御手段
１５  第２の通信手段
１６  器具判別手段
１７  タイマ手段
１８  計時手段
１９  積算演算手段
３２  第１の振動子
３３  第２の振動子
３４  送信手段
３５  受信手段
４１  流量演算手段
４３  電源
４４  昇圧手段
４５  電源制御手段
４８  開閉手段
５０  記憶媒体
【図１】
2006200800.tif 000003
【図２】
2006200800.tif 000004
【図３】
2006200800.tif 000005
【図４】
2006200800.tif 000006
【図５】
2006200800.tif 000007
【図６】
2006200800.tif 000008
【図７】
2006200800.tif 000009
【図８】
2006200800.tif 000010
【図９】
2006200800.tif 000011